(57)【要約】【課題】波圧や衝撃によって破損しない堅牢性と、人が乗って使用する際に破損したレジャーボードによって怪我をしない安全性に優れ、また、廃棄の際には資源の再利用の可能なレジャーボードの提供。【解決手段】アルミニウム合金、マグネシウム合金若しくはチタン合金の金属材料又は前記各金属材料と複合材料により形成されるレジャーボード本体１の内部に、アルミニウム合金、マグネシウム合金若しくはチタン合金の金属材料又は前記各金属材料と複合材料により形成されるハニカム構造５を備えていることを特徴とするレジャーボード。【選択図】      図１
2004161190.tif 000002
【特許請求の範囲】
【請求項１】
アルミニウム合金、マグネシウム合金若しくはチタン合金の金属材料又は前記各金属材料と複合材料により形成されるレジャーボード本体（１）の内部に、アルミニウム合金、マグネシウム合金若しくはチタン合金の金属材料又は前記各金属材料と複合材料により形成されるハニカム構造（５）を備えていることを特徴とするレジャーボード。
【請求項２】
前記ハニカム構造（５）は、直立した六角状の筒体から成る、アルミニウム合金、マグネシウム合金若しくはチタン合金の金属材料又は前記各金属材料と複合材料により形成されるハニカム芯材（４）を二次元方向に多数連結した蜂の巣状の構造となっていることを特徴とする請求項１記載のレジャーボード。
【発明の詳細な説明】
【０００１】
【発明の属する技術分野】
本発明は、海や湖などで人が波に乗る時に、遊戯用や競技用に使用するレジャーボード、例えばサーフボードに関する。
【０００２】
【従来の技術】
近年、発泡ウレタン等から成る芯材にガラス繊維を巻き、ＦＲＰなどの強化プラスチック等を取着させたレジャーボードが提案されている。
【０００３】
しかしながら、この種のレジャーボードは、海などで人が乗って使用する際に、波圧や衝撃などによってレジャーボードの先端が破損したり、接合部で割れることがある。そのため、その損傷部で裂傷などの怪我をする場合があり安全性に問題があった。また、レジャーボードを廃棄する場合には、従来のレジャーボードを形成しているＦＲＰなどの強化プラスチックはリサイクルが困難なため、破砕して埋め立て処分するなどの廃棄方法がとられており資源の有効利用という点で問題があった。
【０００４】
【発明が解決しようとする課題】
本発明は、前記事情に基づいてなされたものであり、遊戯中や競技中に波圧や衝撃によって破損することのなく、堅牢性及び安全性に優れ、遭難時などの非常事態の時には金属探知器により捕えられ、早期発見等に繋がる。また、廃棄の際には資源の再利用の可能なレジャーボードを提供することを目的とする。
【０００５】
【課題を解決するための手段】
前記目的を達成するために本発明のうち請求項１記載の発明は、アルミニウム合金、マグネシウム合金若しくはチタン合金の金属材料又は前記各金属材料と複合材料により形成されるレジャーボード本体の内部に、アルミニウム合金、マグネシウム合金若しくはチタン合金の金属材料又は前記各金属材料と複合材料により形成されるハニカム構造を備えていることを特徴としている。このようにすれば、レジャーボード本体の剛性が高くなり、安全性に優れたものとなる。
【０００６】
また、前記ハニカム構造は、多辺形状の筒体からなるハニカム芯材を蜂の巣状に組み合わせた構造のものをいい、請求項２記載のように、直立した六角状の筒体から成る、アルミニウム合金、マグネシウム合金若しくはチタン合金の金属材料、又は前記各金属材料と複合材料により形成されるハニカム芯材を二次元方向に多数連結した蜂の巣状の構造としても良い。
【０００７】
アルミニウム合金とは、工業用純アルミニウムを含む意味で用いており、マグネシウム合金とは、工業用純マグネシウムを含む意味で用いている。また、チタン合金とは、工業用純チタンを含む意味で用いている。さらに、複合材料とは、主としてクラッド材を示す。ここで、クラッド材とは、異種金属を一枚の板に圧延し、それぞれの材料特性を引き出した複合材のことであり、クラッド材の種類としては、２層クラッド材、多層クラッド材等があり、例えば、アルミニウムとステンレスから成る２層クラッド材は一般的な行平鍋などに使用されている。
【０００８】
【発明の実施の形態】
以下、本発明の代表的な実施形態例を図１と図２を使用し説明する。
ここで、本実施形態例では、本発明によるレジャーボートの一例としてサーフボードを挙げている。
【０００９】
図１に示す本発明によるサーフボードは、サーフボード本体１とバランス片７から成っており、更に、サーフボード本体１はサーフボードの上面側の形状をしている上面板２と、サーフボードの下面側の形状をしている下面板３と、上下面板２，３により形成される中空部に設けてあるハニカム構造５と、によって構成されている。
【００１０】
上面形状の上面板２及び下面形状の下面板３の成形方法には、慣用プレス成形方法、すなわち、雄型と雌型さらには板押えやストリパープレート等によりなる金型を組込み成形する方法や、プレス成形を改良した温間成形、金型コストと成形性から対向波圧成形、さらには超塑性成形を含む温間ブロー成形等が挙げられる。
【００１１】
尚、温間成形及び超塑性成形を含む温間ブロー成形など温度を付加して成形する場合には、成形時間の短縮等を考慮するため、材料を予め成形温度近傍に予熱しておくこともできる。
【００１２】
本実施例では超塑性アルミニウム合金板材を用いた超塑性成形法にて成形を行った。この方法は、超塑性成形機にて約５００℃に加熱された雌金型と天板の間に超塑性アルミニウム合金板材を挟みプレス後天板側より不活性ガス数気圧にてブローし、超塑性板材を雌型に沿わせた成形方法である。この様にして今回製造した上面板２と下面板３の板厚は、０．５ミリであった。
【００１３】
尚、流体及び不活性ガスを用いて成形する成形方法として、一般的には一方を天板、他方を雌型にて成形するが、天板の代わりに雌型とし、雌型と雌型の間に成形材料を２枚挟み、その２枚の材料の間に流体及び不活性ガスを導入し、両方向の雌型に形状を沿わせる方法も可能である。
【００１４】
ハニカム構造５は、本実施形態例ではアルミニウム合金を使用し形成するものとし、その製造方法は一般的なアルミニウム・ハニカムの製造方法に準ずるものとし、例えば、六角形格子状のスリット溝を有する金型に、アルミニウムを押し込み、押出成形を利用する製造方法などが挙げられる。このようにして、直立した六角状の筒体から成るハニカム芯材４を二次元方向に多数連結された蜂の巣状のハニカム構造５を造ることができる。
【００１５】
上記の如く形成した前記ハニカム構造５を構成する各ハニカム芯材４の上下の開口面を前記上面板２と前記下面板３にそれぞれ接着剤６で固着すると共に、前記上面板２と前記下面板３のそれぞれの周縁部分を接着剤６で固着し（図２参照）、更に、図１に示す様にバランス片７を下面板３上の縁部中央に前記接着剤６により取着することによって、本実施形態のサーフボードを得ることが出来る。前記接着剤６は、強固に固定でき容易に剥がれなく、水を通さない耐水性と耐熱性に優れたものを選択して使用する。本実施形態例では、金属用の接着材として用いられているエポシキ・ポリアミド系の弾性接着剤等を使用した。
【００１６】
また、ハニカム材に複合材の一つであるロウ付けクラッド材を用いる事により、ハニカム芯材４と上下の各面板２，３をロウ付けし、金属結合する。この事によりハニカム芯材４と上下の各面板２，３は一体構造となり、サーフボード本体１は更なる高剛性が得られる。
【００１７】
前記バランス片７の材質は例えば、アルミニウム合金とし、その形状は水上でサーフボードが安定し、直進性に優れている形状であれば何でも良く、特に限定しない。本実施形態例では、前記バランス片７を１つ取付けた実施形態例を示したが、バランス片７を複数個取り付けたり、取り付けない場合もある。
【００１８】
本実施形態例によるハニカム芯材４は、上面板２と下面板３の間の全域に敷き詰められる構造が望ましいが、前記サーフボード本体１の形状上、サーフボード本体１の先端や側端部などは、上面板２と下面板３の間に前記ハニカム芯材４が必要に応じて敷き詰められていない箇所があっても良いものとする。
【００１９】
最後に、上記の様に形成した前記サーフボード本体１の全表面に塗装手段により塗装を施す。塗装手段としては、例えば、無機質塗料を使用したクリヤー塗装などがある。無機質塗料としては、例えば、アルコール系溶剤８０％と変性シリカ系樹脂２０％の重量比で、混ぜ合わせた無機質塗料がある。
【００２０】
【発明の効果】
本発明は、アルミニウム合金、マグネシウム合金若しくはチタン合金の金属材料又は前記各金属材料と複合材料により形成されるレジャーボード本体の内部に、アルミニウム合金、マグネシウム合金若しくはチタン合金の金属材料又は前記各金属材料と複合材料により形成されるハニカム構造を備えているので、従来の発泡ウレタンとＦＲＰなどによる強化プラスチックから成るレジャーボードに比べて金属で一体構造とする事により遙かに剛性が高くなり、波圧や衝撃などによってレジャーボードが破損することのない高い堅牢性と、人が怪我をすることのない安全性に優れたレジャーボードを提供することができる。また、レジャーボードを廃棄する際には、レジャーボードを形成するアルミニウム合金やマグネシウム合金若しくはチタン合金は、再利用（リサイクル）出来る為、資源の有効利用が可能となる。更に、人が海などでレジャーボードを使用中に波にのまれたり、溺れるなどして遭難した場合でも、レジャーボードが金属性であるため、金属探知器やレーダーなどでレジャーボードを探知することが出来るので、早期に遭難者を発見できる。
【図面の簡単な説明】
【図１】本発明による代表的な実施形態例を示す斜視図である。
【図２】図１の部分的拡大図である。
【符号の説明】
１  サーフボード本体（レジャーボード本体）
２  上面板
３  下面板
４  ハニカム芯材
５  ハニカム構造
６  接着剤
７  バランス片
【図１】
2004161190.tif 000003
【図２】
2004161190.tif 000004